(57)【要約】【課題】  非接触ＩＣタグが使用目的を果たした後に、ＩＣタグ部分を除去して無効化できるＩＣタグと抽選券付きＩＣタグを提供する。【解決手段】  本発明のＩＣチップ除去構造を有するＩＣタグ１は、ベースフィルム１１にダイポールアンテナを形成し、該アンテナにＩＣチップ３を装着した面が表面保護シート５で被覆され、ベースフィルム１１の背面に粘着剤層７と剥離紙１２を有する非接触ＩＣタグにおいて、非接触ＩＣタグを物品に貼着して目的の使用を終了した後にＩＣタグを無効化するために、ＩＣチップと左右のダイポールアンテナの一部を含む領域を物品面から除去する２本のミシン目線４ｌ，４ｒがダイポールアンテナの長さ方向に直交しまたは斜行するように、ベースフィルム１１の一端から他端方向に形成されていることを特徴とする。抽選券付きＩＣタグは、除去域１０に文字表示がされるようにしたものである。【選択図】    図２
2008310539.tif 000002
【特許請求の範囲】
【請求項１】
ベースフィルムにダイポールアンテナを形成し、アンテナにＩＣチップを装着した該アンテナ面が表面保護シートで被覆され、ベースフィルムの背面に粘着剤層と剥離紙を有する非接触ＩＣタグにおいて、非接触ＩＣタグを物品に貼着して目的の使用を終了した後にＩＣタグを無効化するために、ＩＣチップと左右のダイポールアンテナの一部を含む領域を物品面から除去する２本のミシン目線がダイポールアンテナの長さ方向に直交しまたは斜行するように、ベースフィルムの一端から他端方向に形成されていることを特徴とするＩＣチップ除去構造を有するＩＣタグ。
【請求項２】
ベースフィルムの２本のミシン目線で囲まれた除去域の粘着剤層に接する面には離型層が形成されていることを特徴とする請求項１記載のＩＣチップ除去構造を有するＩＣタグ。
【請求項３】
ベースフィルムにダイポールアンテナを形成し、アンテナにＩＣチップを装着した該アンテナ面が表面保護シートで被覆され、ベースフィルムの下面も接着剤層を介して背面保護シートで被覆されている非接触ＩＣタグにおいて、非接触ＩＣタグを物品に添付して目的の使用を終了した後にＩＣタグを無効化するために、ＩＣチップと左右のダイポールアンテナの一部を含む領域を除去する２本のミシン目線がダイポールアンテナの長さ方向に直交しまたは斜行するように、ベースフィルムの一端から他端方向に形成されていることを特徴とするＩＣチップ除去構造を有するＩＣタグ。
【請求項４】
ベースフィルムの２本のミシン目線で囲まれた除去域の接着剤層が背面の保護シートに接する面には離型層が形成されていることを特徴とする請求項３記載のＩＣチップ除去構造を有するＩＣタグ。
【請求項５】
ベースフィルムの２本のミシン目線で囲まれた除去域が完全には分離しないように、ミシン目線がベースフィルムの他端に達しないように形成されていることを特徴とする請求項１ないし請求項４のいずれか１の請求項記載のＩＣチップ除去構造を有するＩＣタグ。
【請求項６】
ベースフィルムの２本のミシン目線で囲まれた除去域を部分的に分離するように、ミシン目線が「コ」の字状または「Ｕ」の字状に形成されていることを特徴とする請求項１ないし請求項４のいずれか１の請求項記載のＩＣチップ除去構造を有するＩＣタグ。
【請求項７】
ベースフィルムにダイポールアンテナを形成し、アンテナにＩＣチップを装着した該アンテナ面が表面保護シートで被覆され、ベースフィルムの背面に粘着剤層と剥離紙を有する非接触ＩＣタグにおいて、非接触ＩＣタグを物品に貼着して目的の使用を終了した後にＩＣタグを無効化すると同時に抽選結果を表示するために、ＩＣチップと左右のダイポールアンテナの一部を含む領域を物品面から除去する２本のミシン目線がダイポールアンテナの長さ方向に直交しまたは斜行するように、ベースフィルムの一端から他端方向に形成され、かつベースフィルムの除去域の粘着剤層に接する面には文字表示がされていることを特徴とする抽選券付きＩＣタグ。
【請求項８】
ベースフィルムにダイポールアンテナを形成し、アンテナにＩＣチップを装着した該アンテナ面が表面保護シートで被覆され、ベースフィルムの背面に粘着剤層と剥離紙を有する非接触ＩＣタグにおいて、非接触ＩＣタグを物品に貼着して目的の使用を終了した後にＩＣタグを無効化すると同時に抽選結果を表示するために、ＩＣチップと左右のダイポールアンテナの一部を含む領域を物品面から除去する２本のミシン目線がダイポールアンテナの長さ方向に直交しまたは斜行するように、ベースフィルムの一端から他端方向に形成され、かつベースフィルムの除去域の粘着剤層に接する面には離型層と着色層が形成され、当該離型層の形状により着色層が転移して文字表示がされることを特徴とする抽選券付きＩＣタグ。
【請求項９】
ベースフィルムにダイポールアンテナを形成し、アンテナにＩＣチップを装着した該アンテナ面が表面保護シートで被覆され、ベースフィルムの背面も接着剤層を介して背面保護シートで被覆されている非接触ＩＣタグにおいて、非接触ＩＣタグを物品に添付して目的の使用を終了した後にＩＣタグを無効化すると同時に抽選結果を表示するために、ＩＣチップと左右のダイポールアンテナの一部を含む領域を除去する２本のミシン目線がダイポールアンテナの長さ方向に直交しまたは斜行するように、ベースフィルムの一端から他端方向に形成され、かつベースフィルムの除去域の接着剤層が保護シートに接する面には離型層と着色層が形成され、当該離型層の形状により着色層が転移して文字表示がされることを特徴とする抽選券付きＩＣタグ。
【請求項１０】
ベースフィルムの２本のミシン目線で囲まれた除去域が完全には分離しないように、ミシン目線がベースフィルムの他端に達しないように形成されていることを特徴とする請求項７ないし請求項９のいずれか１の請求項記載の抽選券付きＩＣタグ。
【請求項１１】
ベースフィルムの２本のミシン目線で囲まれた除去域が部分的に分離するように、ミシン目線が「コ」の字状または「Ｕ」の字状に形成されていることを特徴とする請求項７ないし請求項９のいずれか１の請求項記載の抽選券付きＩＣタグ。
【発明の詳細な説明】
【技術分野】
【０００１】
本発明は、ＩＣチップ除去構造を有するＩＣタグと抽選券付きＩＣタグに関する。詳しくは、一旦有効に利用され所定の目的を果たした非接触ＩＣタグからＩＣチップを除去して、ＩＣチップに記録された情報が盗聴されないようにする技術に関する。
また、ＩＣチップ部分を除去することに伴い、当該剥離して除去した部分を利用して抽選券機能を持たせることをも目的とするものである。
従って、本発明の利用分野は非接触ＩＣタグの製造や利用の分野に関する。
【背景技術】
【０００２】
非接触ＩＣタグは、情報を記録して保持し非接触で外部装置と交信して情報交換できるので、商品管理等の各種目的に広範に使用されてきている。特に近年は、従来の近接型非接触ＩＣタグ（１３．５６ＭＨｚ）に加えて、より遠距離通信が可能なＵＨＦ帯やマイクロ波帯用の非接触ＩＣタグも利用されるようになってきている。
しかし、非接触ＩＣタグは記憶した情報がＩＣチップのメモリに記録されているので、ＩＣタグが使用目的を果たした後であっても、物品に付されている限り、第三者が当該情報を読み取りするのを効果的に防止することができない。特に、非接触読み取りは本人が気が付かない間に読み取りされてしまうので、その過程を知ることもできず、いつの間にか漏洩した情報が悪用され被害を蒙ることも考えられる。このような状態を放置すれば、個人情報保護、プライバシー侵害の観点から社会的にも問題となる。
【０００３】
そこで、非接触ＩＣタグを付した商品の販売等が終了し一応の目的を果たした際に、非接触ＩＣタグを商品から取り去ってしまうことや、非接触ＩＣタグの機能を破壊してしまうことが検討され、その対応策も各種提案されている。しかし、上記ＵＨＦ帯用やマイクロ波帯では従来の１３．５６ＭＨｚ帯用とは異なるアンテナ構造なので、従来のＩＣタグ方式をそのままには採用できない問題がある。
【０００４】
非接触ＩＣタグの機能を破壊する構造の先行技術としては、特許文献１、特許文献２、特許文献３等がある。特許文献１は、ＩＣタグ自体を崩壊し易い構造にしているが、本願のように切り取り構造とするのとは相違している。特許文献２は、無線ＩＣタグの層構成や切り取り構造が本願と相違している。特許文献３は、平面コイル状アンテナを有するＩＣタグに適用するものであるが、本願のようにダイポールアンテナの場合はアンテナの一部を欠損させただけでは、ＩＣタグを無効化することはできない。
また、非接触ＩＣタグを抽選券に利用した先行技術は特に検出されないが、非接触ＩＣタグを使用した籤及び籤引き抽選システムとして、特許文献４がある。
【０００５】
【特許文献１】特開２００１−  １４４４２号公報
【特許文献２】実用新案登録第３１０５２８６号公報
【特許文献３】特開２００６−３０１８２８号公報
【特許文献４】特開２００６−２０２０９９号公報
【発明の開示】
【発明が解決しようとする課題】
【０００６】
近年、利用されるようになってきているダイポールアンテナを有するＵＨＦ帯やマイクロ波帯用ＩＣタグにおいて、ＩＣタグの利用後に情報の盗聴を防止する目的で、ＩＣタグを無効化する手段を提供するものである。併せて、ＩＣタグを無効化する際に、抽選券の目的を兼ね備えさせることをも目的とするものである。
【課題を解決するための手段】
【０００７】
上記課題を解決する本発明の要旨の１は、ベースフィルムにダイポールアンテナを形成し、アンテナにＩＣチップを装着した該アンテナ面が表面保護シートで被覆され、ベースフィルムの背面に粘着剤層と剥離紙を有する非接触ＩＣタグにおいて、非接触ＩＣタグを物品に貼着して目的の使用を終了した後にＩＣタグを無効化するために、ＩＣチップと左右のダイポールアンテナの一部を含む領域を物品面から除去する２本のミシン目線がダイポールアンテナの長さ方向に直交しまたは斜行するように、ベースフィルムの一端から他端方向に形成されていることを特徴とするＩＣチップ除去構造を有するＩＣタグ、にある。
【０００８】
上記課題を解決する本発明の要旨の２は、ベースフィルムにダイポールアンテナを形成し、アンテナにＩＣチップを装着した該アンテナ面が表面保護シートで被覆され、ベースフィルムの下面も接着剤層を介して背面保護シートで被覆されている非接触ＩＣタグにおいて、非接触ＩＣタグを物品に添付して目的の使用を終了した後にＩＣタグを無効化するために、ＩＣチップと左右のダイポールアンテナの一部を含む領域を除去する２本のミシン目線がダイポールアンテナの長さ方向に直交しまたは斜行するように、ベースフィルムの一端から他端方向に形成されていることを特徴とするＩＣチップ除去構造を有するＩＣタグ、にある。
【０００９】
上記課題を解決する本発明の要旨の３は、ベースフィルムにダイポールアンテナを形成し、アンテナにＩＣチップを装着した該アンテナ面が表面保護シートで被覆され、ベースフィルムの背面に粘着剤層と剥離紙を有する非接触ＩＣタグにおいて、非接触ＩＣタグを物品に貼着して目的の使用を終了した後にＩＣタグを無効化すると同時に抽選結果を表示するために、ＩＣチップと左右のダイポールアンテナの一部を含む領域を物品面から除去する２本のミシン目線がダイポールアンテナの長さ方向に直交しまたは斜行するように、ベースフィルムの一端から他端方向に形成され、かつベースフィルムの除去域の粘着剤層に接する面には文字表示がされていることを特徴とする抽選券付きＩＣタグ、にある。
【００１０】
上記課題を解決する本発明の要旨の４は、ベースフィルムにダイポールアンテナを形成し、アンテナにＩＣチップを装着した該アンテナ面が表面保護シートで被覆され、ベースフィルムの背面に粘着剤層と剥離紙を有する非接触ＩＣタグにおいて、非接触ＩＣタグを物品に貼着して目的の使用を終了した後にＩＣタグを無効化すると同時に抽選結果を表示するために、ＩＣチップと左右のダイポールアンテナの一部を含む領域を物品面から除去する２本のミシン目線がダイポールアンテナの長さ方向に直交しまたは斜行するように、ベースフィルムの一端から他端方向に形成され、かつベースフィルムの除去域の粘着剤層に接する面には離型層と着色層が形成され、当該離型層の形状により着色層が転移して文字表示がされることを特徴とする抽選券付きＩＣタグ、にある。
【００１１】
上記課題を解決する本発明の要旨の５は、ベースフィルムにダイポールアンテナを形成し、アンテナにＩＣチップを装着した該アンテナ面が表面保護シートで被覆され、ベースフィルムの背面も接着剤層を介して背面保護シートで被覆されている非接触ＩＣタグにおいて、非接触ＩＣタグを物品に添付して目的の使用を終了した後にＩＣタグを無効化すると同時に抽選結果を表示するために、ＩＣチップと左右のダイポールアンテナの一部を含む領域を除去する２本のミシン目線がダイポールアンテナの長さ方向に直交しまたは斜行するように、ベースフィルムの一端から他端方向に形成され、かつベースフィルムの除去域の接着剤層が保護シートに接する面には離型層と着色層が形成され、当該離型層の形状により着色層が転移して文字表示がされることを特徴とする抽選券付きＩＣタグ、にある。
【発明の効果】
【００１２】
本発明のＩＣチップ除去構造を有するＩＣタグ（請求項１〜請求項６）では、ＩＣタグのＩＣチップが２本のミシン目線により除去可能にされているので、ＩＣタグが読み取りされて所定の目的を果たした後には無効化することができ、その後、ＩＣタグを保持した物品を携帯しても第三者がＩＣタグに記録された情報を盗聴することはできない。
【００１３】
本発明の抽選券付きＩＣタグ（請求項７〜請求項１１）では、ＩＣタグのＩＣチップが２本のミシン目線により除去可能にされているので、ＩＣタグを同様に無効化することができ盗聴を防止できる。併せて、ＩＣチップを除去した部分に抽選結果が表示されるので、非接触ＩＣタグを抽選券と合わせた機能として利用することができる。
【発明を実施するための最良の形態】
【００１４】
以下、図面を参照して本発明を説明する。
図１は、ＩＣチップ除去構造を有するＩＣタグの例を示す概略平面図、図２は、粘着剤層を有するＩＣタグの断面図、図３は、背面保護シートを有するＩＣタグの断面図、図４は、抽選券付きＩＣタグの第１実施形態を示す図、図５は、同第２実施形態を示す図、図６は、同第３実施形態を示す図、である。
【００１５】
図１は、ＩＣチップ除去構造を有するＩＣタグの例を示す概略平面図である。
図１の場合、半波長ダイポールアンテナ２が、ベースフィルム１１面に形成され、左右のアンテナ２Ｌ，２Ｒの間（給電部）にＩＣチップ３が装着されている。近年のＩＣチップ３は微小化（１辺が０．２ｍｍ〜２．０ｍｍ程度の方形状）しているので、実際には、図１ほど大きな形状には現れない。アンテナ形状は折り畳み形状にされているが、この形状に限られるものではない。また、１波長ループアンテナであってもよいものである。
通常、ＵＨＦ帯用非接触ＩＣタグ１の１単位は、長さ１０ｃｍ、幅２５ｍｍ〜４０ｍｍ程度の大きさ（基材サイズ）に製造される。アンテナの長さは電波の波長に関連するので、マイクロ波帯の場合は、より短縮された形状のアンテナになる。
【００１６】
本発明のＩＣチップ除去構造を有するＩＣタグ１の特徴は、図１各図のように、ＩＣチップ３とＩＣチップ３に接近した左右のアンテナ２Ｌ，２Ｒの一部を含む領域を除去できるように、２本のミシン目線４ｌ，４ｒが形成されていることにある。ミシン目線４ｌ，４ｒは、図１（Ａ）のように、ベースフィルム１１の長辺の一端から対向する他端に通じるようにしてもよく、図１（Ｂ）のように、ＩＣチップ３を超えた部分の途中で終了するようにしてもよい。また、図１（Ｃ）のように、ＩＣチップ３を超えた部分でミシン目線４ｌ，４ｒに直交するミシン目線４ｔ、または半円弧状のミシン目線（不図示）を入れてもよい。前者の場合は、全体として「コ」の字状になり、後者の場合は「Ｕ」の字状になる。このミシン目線で囲まれた領域が除去域１０となる。除去域１０はアンテナ２Ｌ，２Ｒの一部を含むようにする。ＩＣチップ３だけを除去しても良いが、上記のように微小化しているとＩＣチップ３部分だけを除去するのは困難になる。図１の場合、ミシン目線４ｌ，４ｒはダイポールアンテナ２の長さ方向に直交するようにされているが、斜行していてもよいものである。また、除去域１０は帯状にされているが、帯状や矩形状に限らず異なる角度で斜行する２本のミシン目線により略三角形状にしてもよい。
【００１７】
図１（Ｂ）のように、ミシン目線４ｌ，４ｒをＩＣチップ３を超えた部分の途中で終了するようにすれば、当該除去域１０がＩＣタグ１の本体から分離しないので、ＩＣチップ３が散逸したり周囲を散らかすことを防止できる。一方、図１（Ａ）、または図１（Ｃ）のようにする場合は、除去した部分を回収することを容易にし易くなる。これらは使用目的に応じて実施形態を適宜変更すればよい。なお、抽選券付きＩＣタグについては図示してないが、ミシン目線４ｌ，４ｒ等の入れ方は同様にすることができる。
【００１８】
図２は、粘着剤層を有するＩＣタグの断面図である。図１（Ａ）のＡ−Ａ線断面に相当する。非接触ＩＣタグ１は表面にプラスチックフィルムまたは紙基材からなる表面保護シート５を、背面には粘着剤層７と剥離紙１２を有し、当該粘着剤層７により物品に貼着して使用する形態のもの（第１形態）と、粘着剤層がなく表面と共に裏面もプラスチックフィルムまたは紙基材からなる背面保護シート８で覆われ、主として吊り下げ札や表示札のように使用する形態のもの（第２形態）とがある。図２は前者のもの、後述する図３は後者のものとなる。
【００１９】
物品に貼着して使用する形態の場合も、図２（Ａ）のように、表面保護シート５から粘着剤層７に至るようにミシン目線４ｌ，４ｒを入れる場合と、図２（Ｂ）のように、ベースフィルム１１の粘着剤層７に接する面までに、ミシン目線４ｌ，４ｒを入れる場合とがある。後者の場合は、ベースフィルム１１の粘着剤層７に接する面に離型層９を形成しておくことが好ましい。粘着剤層７から除去域１０を容易に除去するためである。粘着剤層７の下面には剥離紙１２が付されるが、除去して使用するので、当該剥離紙１２までミシン目線を入れる必要はない。なお、図２では、接着剤層６ａとアンテナ面間は離れて図示されているが、実際には密着しているものである。図３以降の各図も同様である。
【００２０】
図３は、背面保護シート８を有するＩＣタグの断面図である。この場合、非接触ＩＣタグ１は、通常物品に貼着しない状態で使用するので、ミシン目線４ｌ，４ｒにより除去域１０を除去すれば、除去域１０と左右の２片に分離してしまうことになる。
図３（Ａ）は、ミシン目線４ｌ，４ｒを背面保護シート８まで貫通させた例である。この形態ではミシン目線４ｌ，４ｒを、図１（Ａ）のように、ベースフィルム１１の長辺の一端から対向する他端に通じるように入れた場合、除去域１０を取り去れば、３片に分離してしまうことになる。ただし、読み取り防止の目的は達成できる。
図３（Ａ）の形態では、除去域１０に当初から見えないように文字表示をすることができないので、抽選券付きＩＣタグの用途には不向きと考えられる。
【００２１】
図３（Ｂ）は、ミシン目線４ｌ，４ｒを背面保護シート８までは貫通させないで接着剤層６ｂが背面保護シート８に接する面まで切込みする例である。この形態では接着剤層６ｂと接する背面保護シート８の少なくとも除去域１０部分には離型層９が形成されていて、当該部分から容易に除去域１０を剥離できるようにされている。従って、ミシン目線４ｌ，４ｒを、図１（Ａ）のように、ベースフィルム１１の一端から他端に通じるように入れた場合も、背面保護シート８が残っているので、ＩＣタグ１が左右に分離してしまうことはない。後述するが、この形態は抽選券付きＩＣタグ用途にも利用できる。
【００２２】
次に、本発明の抽選券付きＩＣタグについて説明する。
図４は、抽選券付きＩＣタグの第１実施形態を示す図である。図４（Ａ）は断面状態であり、図４（Ｂ）の円内は除去部１０を剥離して文字表示部１７を拡大して図示した状態である。第１実施形態では、図２（Ａ）の構成の第１形態のＩＣタグ１において、除去域１０であってベースフィルム１１の粘着剤層７側面に、隠蔽印刷１５ａと「当たり」等の文字印刷１５ｂからなる印刷部１５を設けることができる。あるいは、当該文字印刷のされた小片のラベル（不図示）をベースシート１１に貼り付けする方法でもよい。文字印刷の表示内容は抽選券付きＩＣタグ１の表面保護シート５側からは当然のことながら視認できないようにする。
【００２３】
除去域１０を剥離した際には、図４（Ｂ）のように抽選結果の文字表示部１７が見られるようになる。粘着剤層７はＩＣタグのベースフィルム１１面に付着して残るようにしてもよい。この実施形態では、ＩＣタグを物品に貼着する際、剥離紙１２を剥がすと粘着剤層７を透して文字表示１６が視認されてしまう。従って、物品に貼着した後に文字表示部１７が見えなくなり、抽選券付きＩＣタグとして有効になる。
【００２４】
図５は、抽選券付きＩＣタグの第２実施形態を示す図である。
第２実施形態では、図２（Ｂ）の第１形態のＩＣタグの構成において、除去域１０であってベースフィルム１１の粘着剤層７側面の離型層９を文字パターン状に印刷する。そして離型層９の下面（粘着剤層７側）に隠蔽印刷１６をさらに行う。
抽選券付きＩＣタグを物品から剥離した際に、離型層９の文字パターン部分は、粘着剤層７側に残り、文字パターンでない部分は除去域１０側に残ることになる。従って、離型層９の文字パターンが抜き文字であれば、「当たり」等の文字が除去域１０側に残り、袋文字状であれば反対の現象になる。図５（Ｂ）は、離型層９の文字パターン部分が抜けて除去域１０側に「当たり」の抜き文字が現れた例である。第２実施形態では、隠蔽印刷１６があるので、剥離紙１２を剥離しても文字形状は視認できない。
【００２５】
図６は、抽選券付きＩＣタグの第３実施形態を示す図である。
第３実施形態では、図３（Ｂ）の構成の第２形態のＩＣタグにおいて、除去域１０であってベースフィルム１１の粘着剤層７側面の離型層９を文字パターン状に印刷する。そして離型層９の下面（粘着剤層７側）に隠蔽印刷１６をさらに行う。
図５の場合と同様に、抽選券付きＩＣタグを物品から剥離した際に、離型層９の文字パターン部分は、粘着剤層７側に残り、文字パターンでない部分は除去域１０側に残ることになる。図６（Ｂ）は、離型層９の抜き文字パターン部分が除去域１０側に「当たり」の文字形状として現れた例である。第３実施形態の場合も、隠蔽印刷１６と背面保護シート８があるので文字形状は視認できない。
【００２６】
＜材質に関する実施形態＞
（１）ベースフィルム
プラスチックフィルムを幅広く各種のものを使用でき、以下に挙げる単独フィルムあるいはそれらの複合フィルムを使用できる。
ポリエチレンテレフタレート（ＰＥＴ）、ＰＥＴ−Ｇ（テレフタル酸−シクロヘキサンジメタノール−エチレングリコール共重合体）、ポリエチレンナフタレート（ＰＥＮ）、ポリ塩化ビニル、塩化ビニル−酢酸ビニル共重合体、ポリカーボネート、ポリアセタール、ポリアミド、ポリイミド、セルロースジアセテート、セルローストリアセテート、ポリスチレン系、ＡＢＳ、ポリアクリル酸エステル、ポリプロピレン、ポリエチレン、ポリウレタン、等である。
【００２７】
（２）表面保護シート、背面保護シート
上質紙やコート紙、合成紙等を使用できるほか、ベースフィルムに使用する各種プラスチックフィルムを使用できる。
【００２８】
（３）剥離紙
紙基材に低接触角の薬剤（通常、シリコーン）を塗布して低剥離強度を実現した材料が使用される。紙基材には、上質紙やクラフト紙、グラシン紙、パーチメント紙、スーパーカレンダード紙、等が使用され、これらに直接シリコーンコートするか、ポリエチレンコート、クレー・バインダーコートした後、シリコーンコートして使用されるものが多い。    
【００２９】
（４）接着剤、粘着剤
本明細書で接着剤という場合は、溶剤型や重合型、紫外線硬化型、エマルジョン型、熱溶融型等の各種のものをいい、いわゆる粘着剤型のものも含むものとする。いずれであっても、双方の材料間を接着すれば目的を達成するからである。
また、本明細書で粘着剤という場合は、徐々に粘度が顕著に上昇することなく、いつまでも中間的なタック状態を保つものをいうものとする。接着剤、粘着剤の樹脂組成物としては、天然ゴム系、ニトリルゴム系、エポキシ樹脂系、酢酸ビニルエマルジョン系、ポリエステル系、アクリル系、アクリル酸エステル共重合体系、ポリビニルアルコール系、フェノール樹脂系、等の各種材料を使用できる。
【００３０】
次に、本発明のＩＣタグの製造方法について説明する。本発明のＩＣチップ除去構造を有するＩＣタグは、従来のＩＣタグの製造方法とほぼ同様の工程で製造できるが、離型層９の形成やミシン目の形成工程が追加的に必要になる。
また、抽選券付きＩＣタグでは、さらに隠蔽印刷や文字印刷の工程が必要になる。
【００３１】
まず、従来工程で、ベースフィルム１１にアンテナ２を形成し、ＩＣチップ３を装着する。ダイポールアンテナ２は、ベースフィルム１１に、厚み１５μｍ〜２０μｍ程度のアルミニウム箔をラミネートした基材を使用し、印刷レジストやフォトレジストを用いてエッチング形成する。ベースフィルム１１のアンテナ面とは反対側面に、離型層９や隠蔽印刷１６、あるいは印刷部１５の印刷を行う。隠蔽印刷１５ａや文字印刷１５ｂはインキジェット印刷により、あるいは転写箔を予め製造し転写することもできる。
次いで、左右のダイポールアンテナ２Ｌ，２Ｒの間にＩＣチップ３を装着する。
【００３２】
ベースフィルム１１のアンテナパターン２面側に、表面保護シート５をラミネートし、第１形態では反対側面に粘着剤層６を有する剥離紙７をラミネートする。第２形態では、粘着剤層６と剥離紙７に替えて背面保護シート８をラミネートする。
最後に、ミシン目線４ｌ，４ｒ，４ｔを形成する。ミシン目線はロータリダイカッター等を用いて深さを調製して形成することができる。
【図面の簡単な説明】
【００３３】
【図１】ＩＣチップ除去構造を有するＩＣタグの例を示す概略平面図である。
【図２】粘着剤層を有するＩＣタグの断面図である。
【図３】背面保護シートを有するＩＣタグの断面図である。
【図４】抽選券付きＩＣタグの第１実施形態を示す図である。
【図５】抽選券付きＩＣタグの第２実施形態を示す図である。
【図６】抽選券付きＩＣタグの第３実施形態を示す図である。
【符号の説明】
【００３４】
１    非接触ＩＣタグ
２    ダイポールアンテナ
３    ＩＣチップ
４ｌ，４ｒ，４ｔ    ミシン目線
５    表面保護シート
６ａ，６ｂ    接着剤層
７    粘着剤層
８    背面保護シート
９    離型層
１０    除去域
１１    ベースフィルム
１２    剥離紙
１５    印刷部
１６    隠蔽印刷
【図１】
2008310539.tif 000003
【図２】
2008310539.tif 000004
【図３】
2008310539.tif 000005
【図４】
2008310539.tif 000006
【図５】
2008310539.tif 000007
【図６】
2008310539.tif 000008